【手続補正書】
【提出日】平成30年2月28日(2018.2.28)
【手続補正１】
【補正対象書類名】特許請求の範囲
【補正対象項目名】全文
【補正方法】変更
【補正の内容】
【特許請求の範囲】
【請求項１】
各フィールドの文字位置揃えに関する情報と各フィールドの出力書式に関する情報の少なくとも一つを示す属性情報を含むフォーム情報とフィールドデータとを用いてオーバレイ出力処理を実行することにより、帳票ページを生成する帳票生成手段と、
前記フォーム情報から、前記オーバレイ出力処理で使用される前記属性情報を取得する取得手段と、
前記帳票生成手段により生成された帳票ページを、編集可能な帳票ページに変換する変換手段と、
前記編集可能な帳票ページの閲覧および編集を行うための閲覧画面を表示させるためのデータを生成する閲覧画面生成手段とを備え、
前記閲覧画面生成手段で生成されるデータは、前記属性情報と、前記編集可能な帳票ページと、前記編集可能な帳票ページの閲覧および編集を制御するための制御プログラムとを含み、前記属性情報は、前記編集可能な帳票ページを編集する際に使用される
ことを特徴とする情報処理システム。
【請求項２】
前記閲覧画面を表示させるためのデータを、クライアント装置に送信する送信手段を更に備え、
前記クライアント装置は、
前記送信されたデータを受信する受信手段と、
前記受信手段で受信したデータに基づいて、前記閲覧画面を表示する表示手段と、
前記閲覧画面を用いて帳票のフィールド上でのデータの編集操作がされたことに応じて、前記制御プログラムに基づいて前記編集後のフィールドに対応する前記属性情報を編集後のデータに適用する適用手段とを備える
ことを特徴とする請求項１に記載の情報処理システム。
【請求項３】
前記クライアント装置が備える適用手段は、前記編集後のデータの値と、前記属性情報に含まれる情報に基づいて、当該編集後のデータの帳票ページにおける座標位置を算出する
ことを特徴とする請求項２に記載の情報処理システム。
【請求項４】
前記クライアント装置が備える適用手段は、前記制御プログラムと、前記属性情報に含まれる文字位置揃えに関する情報と、編集前のデータの値の文字列長と編集後のデータの値の文字列長の差とに基づいて、当該データの帳票ページにおける座標位置を更新する
ことを特徴とする請求項３に記載の情報処理システム。
【請求項５】
前記クライアント装置が備える適用手段は、前記属性情報に含まれる文字位置揃えに関する情報が示す文字位置揃えが左揃えでない場合に、前記データの帳票ページにおける座標位置を更新する
ことを特徴とする請求項４に記載の情報処理システム。
【請求項６】
編集後の帳票ページに基づいて、印刷データを生成する印刷データ生成手段を備える
ことを特徴とする請求項１乃至５のいずれか１項に記載の情報処理システム。
【請求項７】
前記フォーム情報が予め記憶される第１の記憶手段と、
前記フィールドデータが予め記憶される第２の記憶手段と、
前記帳票ページが記憶される第３の記憶手段と、
前記属性情報が記憶される第４の記憶手段とを備える
ことを特徴とする請求項１乃至６のいずれか１項に記載の情報処理システム。
【請求項８】
前記編集可能な帳票ページは、ＳＶＧ形式の帳票ページである
ことを特徴とする請求項１乃至７のいずれか１項に記載の情報処理システム。
【請求項９】
各フィールドの文字位置揃えに関する情報と各フィールドの出力書式に関する情報の少なくとも一つを示す属性情報を含むフォーム情報とフィールドデータとを用いてオーバレイ出力処理を実行することにより、帳票ページを生成する帳票生成手段と、
前記フォーム情報から、前記オーバレイ出力処理で使用される前記属性情報を取得する取得手段と、
前記帳票生成手段により生成された帳票ページを、編集可能な帳票ページに変換する変換手段と、
前記編集可能な帳票ページの閲覧および編集を行うための閲覧画面を表示させるためのデータを生成する閲覧画面生成手段と、
前記閲覧画面を表示させるためのデータを、クライアント装置に送信する送信手段とを備え、
前記閲覧画面生成手段で生成されるデータは、前記属性情報と、前記編集可能な帳票ページと、前記編集可能な帳票ページの閲覧および編集を制御するための制御プログラムとを含み、前記属性情報は、前記編集可能な帳票ページを編集する際に使用される
ことを特徴とするサーバ装置。
【請求項１０】
コンピュータを、請求項１乃至８のいずれか１項に記載の情報処理システムの各手段として機能させるためのプログラム。
【請求項１１】
各フィールドの文字位置揃えに関する情報と各フィールドの出力書式に関する情報の少なくとも一つを示す属性情報を含むフォーム情報とフィールドデータとを用いてオーバレイ出力処理を実行することにより、帳票ページを生成する帳票生成工程と、
前記フォーム情報から、前記オーバレイ出力処理で使用される前記属性情報を取得する取得工程と、
前記生成された帳票ページを、編集可能な帳票ページに変換する変換工程と、
前記編集可能な帳票ページの閲覧および編集を行うための閲覧画面を表示させるためのデータを生成する閲覧画面生成工程とを有し、
前記生成されたデータは、前記属性情報と、前記編集可能な帳票ページと、前記編集可能な帳票ページの閲覧および編集を制御するための制御プログラムとを含み、前記属性情報は、前記編集可能な帳票ページを編集する際に使用される
ことを特徴とする情報処理システムの制御方法。
【手続補正２】
【補正対象書類名】明細書
【補正対象項目名】００１０
【補正方法】変更
【補正の内容】
【００１０】
本発明の一実施形態の情報処理システムは、各フィールドの文字位置揃えに関する情報と各フィールドの出力書式に関する情報の少なくとも一つを示す属性情報を含むフォーム情報とフィールドデータとを用いてオーバレイ出力処理を実行することにより、帳票ページを生成する帳票生成手段と、前記フォーム情報から、前記オーバレイ出力処理で使用される前記属性情報を取得する取得手段と、前記帳票生成手段により生成された帳票ページを、編集可能な帳票ページに変換する変換手段と、前記編集可能な帳票ページの閲覧および編集を行うための閲覧画面を表示させるためのデータを生成する閲覧画面生成手段とを備え、前記閲覧画面生成手段で生成されるデータは、前記属性情報と、前記編集可能な帳票ページと、前記編集可能な帳票ページの閲覧および編集を制御するための制御プログラムとを含み、前記属性情報は、前記編集可能な帳票ページを編集する際に使用される。
【手続補正３】
【補正対象書類名】明細書
【補正対象項目名】００４９
【補正方法】変更
【補正の内容】
【００４９】
Ｓ１１０３において、帳票閲覧プログラムが、編集ダイアログ１２０１を表示する。本実施例の場合、編集可能な帳票閲覧画面１００１の領域１００４、１００５、１００７、１００８のいずれかがクリックされた場合に、編集ダイアログ１２０１が表示される。また、帳票閲覧プログラムは、帳票閲覧画面データに含まれるフィールド属性情報ファイル９０１内の、クリック位置に該当する情報を記憶する。図１２は、編集ダイアログの表示例である。
Ｓ１１０４において、ユーザが、編集ダイアログ１２０１のテキストボックス１２０２内に新しい値を入力し、確認ボタン１２０３をクリックする。この例では、「９０００」という値が入力されたものとする。帳票閲覧プログラムが、領域１００２内に表示された帳票ページに対応するＳＶＧファイルの中から、Ｓ１１０１でのクリック位置に該当するテキスト要素（＜ｔｅｘｔ＞タグ）を特定する。
【手続補正４】
【補正対象書類名】明細書
【補正対象項目名】００５６
【補正方法】変更
【補正の内容】
【００５６】
そして、Ｓ１１０９において、帳票閲覧プログラムが、テキスト要素（＜ｔｅｘｔ＞タグ）のＸ座標を４だけ加算する。そして、Ｓ１１１０において、帳票閲覧プログラムが、値を更新する。この結果、ユーザが領域１００４をクリックし、表示された編集ダイアログ１２０１で「９０００」を入力した場合、編集可能な帳票閲覧画面１００１は図１０（Ｂ）に示すように更新される。領域１００９の文字列「￥９，０００」は、右揃えとなっている。また、図１３（Ｂ）に示すように、更新後のＳＶＧファイル１４０１では、図１０（Ｂ）のフィールド図形１００９に対応するテキスト要素１４０３のＸ座標は、図１３（Ａ）のテキスト要素１４０２のＸ座標から４だけ加算されている。
【手続補正５】
【補正対象書類名】図面
【補正対象項目名】図１０
【補正方法】変更
【補正の内容】
【図１０】
2016162190.tif 000001